(57)【要約】【課題】郵便はがきにおいてその記載内容を簡単に隠蔽することができると共に隠蔽した部分を情報情報伝達に活用することを可能とする広告シールを提供することである。【解決手段】はがきの記載内容を隠蔽するシールを設け該当シールをはがきの記載部分の必要個所（その全部または一部）に貼り付ける。そしてこのシールの表面には広告情報を掲載しておきシールを貼ることによりはがき記載面が隠蔽され広告面が表面に出てはがきが広告媒体となる。【選択図】  図１
2005119221.tif 000002
【特許請求の範囲】
【請求項１】
郵便はがきに紙あるいは合成紙において前記はがきの全面あるいはその一部に前記紙あるいは合成紙の全部あるいは一部に設けた粘着層により接着させてはがきに貼ることによって前記はがきのあて先以外の全てあるいはその一部を隠蔽し、前記はがきに貼った紙または合成紙は後に剥離可能であり、前記紙あるいは合成紙のはがき密着面と反対の面に広告情報が記載されていることを特徴とする広告シール。
【請求項２】
前記広告シールは貼付後１回のみ剥離可能でその後再度貼ることが不可能であることを特徴とする特許請求範囲第１項記載の広告シール。
【請求項３】
前記シールははがきに貼る面においてその一部あるいは全部に粘着層を形成し前記粘着層によりはがきと接着し、前記シールを剥離する際にはがき記載部分を損傷しないことを特徴とする特許請求範囲第１項記載の広告シール。
【請求項４】
前記粘着層は接着後剥離する際に記載部分を損傷しない粘着材で形成してあることを特長とする特許請求範囲第３項記載の広告シール。
【請求項５】
前記粘着層は記載部分を避けるように形成し前記形成された粘着層ではがきと接着することを特徴とする特許請求範囲第３項記載の広告シール。
【請求項６】
前記広告シールははがきとの密着面側にポケットを有しており前記ポケットに紙片を挿入しはがきに貼ることが可能であることを特徴とする特許請求範囲第１項記載の広告シール。
【請求項７】
前記広告シールは任意の形状の窓を有しており、はがきに記載してある事項で隠蔽する必要のない部分は前記窓から見ることが可能であることを特徴とする特許請求範囲第１項記載の広告シール。
【請求項８】
前記広告シールは折込部を有し、前記折込部にはユーザーが記載可能であり、剥離した時に前記折込部を開き前記記載事項を閲覧可能であることを特徴とする特許請求範囲第１項記載の広告シール。
【請求項９】
前記広告情報は前記広告に関連したサイトのアドレス情報を含み前記アドレス情報はコード情報であることを特徴とする特許請求範囲第１項記載の広告シール。
【請求項１０】
前記コード情報は２次元コードであり、光学的読み取り手段により読み取ることが可能で前記読み取り手段により読み取った情報を元に該当サイトにアクセスすることを特徴とする特許請求範囲第９項記載の広告シール。
【発明の詳細な説明】
【技術分野】
【０００１】
本発明ははがきに貼る広告シールに関する。
【背景技術】
【０００２】
従来はがきに個人情報を隠すためにその一部あるいは全体に隠蔽シールを貼るという方法が実用化されていた。こういった用途のほとんどは業務用であり例えば請求書、各種証明書、確認書といった情報を企業より個人、法人に送付する際に使用している。こういった場合、個人情報である貯金残高とか保険金額とかいった情報等を隠蔽するために隠蔽シールが貼られており、業務用であるので大量に作成され送付されている。さらに一歩進んだものとしては特開平１１−１２９６５４に示されるように返信用はがきを含んだ隠蔽シールといったものが提案されている。しかしながら普通の例えば個人が使う郵便はがきに隠蔽シールを使う場合例えば、保険などの申し込みという場合に他人対して公開したくない情報等を隠す目的で隠蔽するといったことには使われているが、ごく普通の個人間でやり取りする郵便についてはあまり活用されていなくさらにこの隠蔽シールの粘着面の反対側の表面については有効な活用がなされていなかったのが現状であった。
【発明の開示】
【発明が解決しようとする課題】
【０００３】
本発明は、通常の隠蔽シールを貼った郵便はがきがそのまま使用することが可能であり、さらにこの隠蔽シールの表面をさらに有効活用する方法を提供することである。
【課題を解決するための手段】
【０００４】
前述の課題を解決するために本発明者らは鋭意研究の結果以下の手段をとった。すなわち郵便はがきに貼る紙あるいは合成紙においてはがきの全面あるいはその一部にこの紙あるいは合成紙の全部あるいは一部に設けた粘着層により接着させてはがきに貼ることによってはがきのあて先以外の記載情報の全てあるいはその一部を隠蔽し、このはがきに貼った紙または合成紙は後に剥離可能であり、この紙あるいは合成紙のはがき密着面の反対側の面に広告情報が記載するようにすればよい。こうした構成をとることによりはがきに隠蔽する目的で貼ってある広告シールの表面に有効な広告情報を掲載することが可能となる。
【０００５】
またこの広告シールは貼付後１回のみ剥離可能でその後再度貼ることが不可能であるようにすれば情報の機密性が高まり、一度はがして中の情報を読みとりそっともう一度貼るといったことを避けることが可能となり、はがきでありながら秘密性を保つという付加価値をつけることが可能となる。
【０００６】
このシールははがきに貼る面においてその一部あるいは全部に粘着層を形成し前述の粘着層によりはがきと接着し、このシールを剥離する際にはがき記載部分を損傷しないようにすればよい。そしてこの粘着層は接着後剥離する際に記載部分を損傷しない粘着材で形成するようにすればよい。あるいはこの粘着層は記載部分を避けるように形成し前述の形成された粘着層ではがきと接着するようにすればよい。このようにすれば、はがきを受け取ったユーザーははがきの記載事項を読むことが可能となる。
【０００７】
前記広告シールははがきとの密着面側にポケットを有しており前述のポケットに紙片を挿入しはがきに貼ることが可能とすれば例えば切手などの小紙片を送付することが可能となる。
【０００８】
この広告シールに任意の形状の窓を設けておけば、はがきに記載してある事項で隠蔽する必要のない部分はこの窓から読むことが可能であり、メリハリのついたはがきとすることができる。
【０００９】
この広告シールには折込部を設けておき、この折込部にはユーザーが自由に文字や絵を書いたり、印刷できるように記載可能としておけば、はがきを受け取った際にシールを剥離しこの折込部を開くことによってこの折込部に書かれた記載事項を閲覧可能となりはがきにおいても封書と同様に多くの記載事項を盛り込むことが可能となる。
【００１０】
前述の広告情報はこの広告に関連したサイトのアドレス情報を含みこのアドレス情報はコード情報としておいてもよい。さらに好ましくはこのコード情報は２次元コードであり、光学的読み取り手段により読み取ることが可能でこの読み取り手段により読み取った情報を元に該当サイトにアクセスするようにすればよい。例えば２次元コード取り込み可能な携帯電話端末によりこの２次元コードを読み取りサイトにその広告に関連するサイトにアクセスすることによりその広告の関連の商品を携帯電話等で容易に購入することがかのうとなり広告の効果を増すことが可能となる。
【発明の効果】
【００１１】
以上述べたよう本発明によれば今までは誰からも見られてしまう可能性のある郵便はがきが受取人にしか見ることができない、あるいは途中で誰かが見たことがわかってしまうように、通常の郵便はがきを秘密性の高い封書と同じような使用法が可能となる。そしてさらに隠蔽するシールに広告情報の掲載することにより広告媒体としても同時に使うことが可能となる。
【発明を実施するための最良の形態】
【００１２】
以下に実施例を示す。
【実施例１】
【００１３】
以下さらに図に基づいてさらに詳しく説明していく。図１は本発明の１つの形態で、１１はがきの記載面（相手先住所を記載する面の裏面）であり、１２は広告シールの表面に記載された広告情報である。１３は広告該当商品の販売をしているＥＣサイトのアドレスを２次元コード（ＱＲコード）化して印刷しているものである。図２はシールの断面とはがきを模式的に説明した図であって、２１は図１のシール１２の断面でありシールの裏には粘着層２２が形成してあり、はがき２３に貼ることによって図１のはがきの記載面隠蔽する。その様子は図１の（Ａ）に示しているようにはがき１１の上にシール１２を貼ればよいが、このときの粘着層は粘着面を保護してあるシートをはずし貼り付けるタイプでもよいし、あるいは熱で貼り付けるタイプのものでもよい。そしてはがきの記載面にシールを貼った状態の広告面のみが見える様子を図１の（Ｂ）に示した。本実施例では粘着層ははがきの記載面全面であるがこれに限られるものではなく隠蔽シールをはがきに密着接合の目的を達成するものであれば必要な部分のみに粘着層を形成しておけばよい。そしてはがきが受取人に到着したときに受取人の該当者はこのシールを剥がして記載内容を読めばよい。この時このシールは不可逆性すなわち貼った後１回剥がしたらそのシールは２度と貼ることはできない粘着材を使用すればよい。またこのシールは紙あるいは合成紙から構成されている。
【実施例２】
【００１４】
次に折込可能なタイプのシールについて説明する。図３にその様子を示したが、（Ａ）の３１は折込可能な紙（本実施例では紙であるがもちろん合成紙でもよい）であって内部にユーザ-が手書きあるいはプリンターによる印刷などで記載事項を記入することができる。３２はこの紙を２つに折るための折り線であって、３３は紙の裏面についている粘着層である。この紙を折り線３２に沿って折った様子を（Ｂ）に示したが３３は裏面に形成された粘着層であり、３４は折る前の様子を示した（Ａ）の３１の裏面に形成された粘着層である。そしてこの紙の表面の広告情報を（Ｃ）に示したが、前の実施例と同様に３５は広告該当商品の販売をしているＥＣサイトのアドレスを２次元コード（ＱＲコード）化して印刷しているものである。
【００１５】
図４はその断面を示しているものであり、４１は折った紙であり、４３は図３（Ｂ）の３３の粘着層、４２は同じく３４の粘着層である。この４２、４３の粘着層を有する４１のシールをはがき４４に貼ればよい。
【００１６】
図５は変形例でありはがきの一部を隠蔽する例であって、５１ははがきであり５２はシール部である。ここでも先ほどの例と同様に５３は広告該当商品の販売をしているＥＣサイトのアドレスを２次元コード（ＱＲコード）化して印刷しているものである。図６は窓付きの例であってはがき６１にシールを貼っているが、６２部はシールに設けられた窓であり「誕生日おめでとう」の文字の部分のみが見ることができ他の部分は隠蔽されている。先ほどの実施例同様に６３は広告該当商品の販売をしているＥＣサイトのアドレスを２次元コード（ＱＲコード）化して印刷しているものである。
【実施例３】
【００１７】
次に袋付の例の説明を行なうが、その様子を図７に示した。ここで７１はシールの表面であり、７２はシールの裏面（貼り合わせ面）である。７３は小紙片が入れられる袋部であり７４は粘着層である。ここで表面７１には広告が印刷されており先ほどの実施例と同様に７５は広告該当商品の販売をしているＥＣサイトのアドレスを２次元コード（ＱＲコード）化して印刷しているものである。この場合の断面を図８に示したが、８１はシール本体部であり、８２は袋部、８３は袋部に格納された小紙片、８４、８５は粘着層である。そしてこのシールをはがき８６に貼り付ければよい。
【００１８】
次に広告情報に印刷されている２次元コードからＥＣサイトに行く方法について説明するが、その様子を図９に示した。９１ははがきに貼られたシールであってこのシール上に印刷された２次元コード（ＱＲコード）を２次元コード取得機能付携帯電話端末９２の光学読取装置（ＣＣＤカメラ）において読み取りこの画像を解析し該当ＥＣアドレスを取得する。そしてこの携帯電話端末により該当のＥＣサイトにアクセスする。そしてユーザーが購入処理をすることにより広告シールに印刷された２次元コードから容易にＥＣサイトで買い物が可能となる。
【図面の簡単な説明】
【００１９】
【図１】実施例１の概要
【図２】実施例１の断面
【図３】実施例２の概要
【図４】実施例２の断面
【図５】シールで隠蔽する部分が一部の場合の例
【図６】シールに窓がついている場合の例
【図７】実施例３の概要  （小紙片をいれるポケットがついている場合の例）
【図８】実施例３の断面
【図９】２次元コードから購入までの方法
【図１】
2005119221.tif 000003
【図２】
2005119221.tif 000004
【図３】
2005119221.tif 000005
【図４】
2005119221.tif 000006
【図５】
2005119221.tif 000007
【図６】
2005119221.tif 000008
【図７】
2005119221.tif 000009
【図８】
2005119221.tif 000010
【図９】
2005119221.tif 000011